(57)【要約】【課題】滑らかで手触り感に優れ且つ抵抗感のある表面層と、復元性とクッション性に優れ且つヘタリが発生しにくいクッション層を備えた多層構造のマウスパッドを提供する。【解決手段】多層構造のマウスパッド(1)は、ポリプロピレン製シート材の表面に微小深さの凹凸パターンを形成した表面層(2)と、表面層(2)の下面に両面テープ(3)にて接合された高密度ウレタンフォーム製のクッション層(4)であって３．０ｍｍ以上の厚さを有するクッション層(4)と、クッション層(4)の下面に両面テープ(5)にて接合された合成ゴムシート製のグリップ層(6)を備えている。【選択図】図２
0003226194.tif 000002
【実用新案登録請求の範囲】
【請求項１】
ポリプロピレン製シート材の表面に微小深さの凹凸パターンを形成した表面層と、
前記表面層の下面に接合された高密度ウレタンフォーム製のクッション層であって３．０ｍｍ以上の厚さを有するクッション層と、
前記クッション層の下面に接合された合成ゴムシート製のグリップ層を備えたことを特徴とする多層構造のマウスパッド。
【考案の詳細な説明】
【技術分野】
【０００１】
本考案は、多層構造のマウスパッドに関し、特に表面に微小深さの凹凸パターンを形成したプロピレン製シート材からなる表面層と、その下面に接合された復原性に優れる高密度ウレタンフォームからなるクッション層と、高摩擦の合成ゴムシート製のグリップ層を備えた多層構造のマウスパッドに関するものである。
【背景技術】
【０００２】
Ｗｅｂ上に掲載されている第１のマウスパッドは、表面層がポリエステルシートで、裏面層がオレフィン系シートで形成された２層構造のマウスパッド（厚さ０．３ｍｍ）である。第２のマウスパッドは、表面がポリエチレンテレフタレートシートで、裏面がポリ塩化ビニル発泡シートで形成された２層構造のマウスパッド（厚さ１．２ｍｍ）である。
第３のマウスパッドは、抗菌機能と帯電防止機能を有するマウスパッドで、表面が銀繊維を含むポリエステル生地で形成され、裏面が天然ゴムシートで形成されたマウスパッド（厚さ３．０ｍｍ）である。
【０００３】
特許文献１に記載された印刷可能なマウスパッド(厚さ約０．３ｍｍ)は、表面に絵柄や模様を印刷可能とするため合成樹脂製のコーティングシートで形成され、このコーティングシートの下面に布又は合成樹脂層からなる主体基材が接合され、この主体基材の下面にポリウレタンやポリ塩化ビニル製のラバーシートが接合され、このラバーシートの下面に剥離により除去される底部シートが粘着されている。
このマウスパッドは、主体基材とラバーシートからなる２層構造のマウスパッドを前提とし、マウスパッドの表面にユーザーが所望の絵柄や模様を印刷可能とするために、滑らかな表面を有する合成樹脂製のコーティングシートを接合したものである。
【先行技術文献】
【特許文献】
【０００４】
【特許文献１】実用新案登録第３１３９２１９号公報
【考案の概要】
【考案が解決しようとする課題】
【０００５】
ｅスポーツ等において高速で長時間操作されるマウスパッドの場合、表面層が肌にべたついたり、貼りついたりせずに、サラリとした手触り得られ、クッション層の感触を妨げないだけの薄さが必要である。
【０００６】
しかし、前記第１，第２のマウスパッドでは、表面層がシート等で形成されているため、織布のようなサラリとした手触り感を発揮できず、上記の表面層の機能を発揮させることは難しい。特許文献１のマウスパッドにおいても、表面のコーティング層の表面に絵柄や模様を印刷するため、コーティング層の表面は滑らかに形成する必要があるため、織布のようなサラリとした手触り感を発揮できず、上記の表面層の機能を発揮させることは難しい。
【０００７】
しかも、前記の表面層の下面に接合されるクッション層の機能としては、残留歪みが小さく、長時間の使用でも殆どへたることのない復原性が必要であり、長時間の使用時の手首の疲労を和らげる柔らかさが必要であり、所定の厚さが必要である。
【０００８】
しかし、前記第１のマウスパッドでは、裏面にオレフィン系シートがあるが、全体の厚さが０．３ｍｍで非常に薄いため、上記のクッション層の機能を発揮できるものではなく、クッション層に相当するものがない。
前記第２のマウスパッドでは、裏面に滑り止めの為のポリ塩化ビニル発泡シートが設けられているが、全体の厚さが１．２ｍｍで非常に薄いため、上記のクッション層の機能を発揮できるものではなく、クッション層に相当するものがない。
【０００９】
前記第３のマウスパッドでは、裏面の天然ゴム層がクッション層を兼ねるものであろうが、天然ゴム層はウレタン発泡体等と比較べると柔軟性に欠ける上、天然ゴムは異臭が出ることが多く、アレルギーを引き起こす場合もある。
【００１０】
前記特許文献１のマウスパッドでは、主体基材の下面にポリウレタンやポリ塩化ビニル製のラバーシートを設けており、これがクッション層を兼ねるものであろうが、ポリウレタンやポリ塩化ビニルは、ウレタン発泡体等と比較べると柔軟性や復原性の面で劣り、長時間の使用の場合にはへたりが生じ易く、手首の疲労を惹起しやすい。
【００１１】
本発明の目的は、滑らかで手触り感に優れ且つ抵抗感のある表面層と、復元性とクッション性に優れ且つヘタリが発生しにくいクッション層を備えた多層構造のマウスパッドを提供することである。
【課題を解決するための手段】
【００１２】
請求項１の多層構造のマウスパッドは、ポリプロピレン製シート材の表面に微小深さの凹凸パターンを形成した表面層と、前記表面層の下面に接合された高密度ウレタンフォーム製のクッション層であって３．０ｍｍ以上の厚さを有するクッション層と、
前記クッション層の下面に接合された合成ゴムシート製のグリップ層を備えたことを特徴としている。
【００１３】
前記表面層は、ポリプロピレン製シート材の表面に微小深さの凹凸パターン（例えば、梨地模様のパターン）を形成したものであるため、サラリとした手触り感があり、適度な抵抗感がでるため、マウスパッドの操作性を高めることができる。しかも、ポリプロピレン製シート材であるため、軽く、滑り易く、撥水性と防汚性と耐久性に優れる。
【００１４】
前記クッション層は高密度ウレタンフォーム製であって３．０ｍｍ以上の厚さを有するクッション層であるため、圧縮残留歪みが小さく、復元性に優れ長時間使用してもへたることがなく、マウスに力を加えた際に沈み込んでマウスの滑りを抑制する作用があり、手首の疲労も少ない。
【００１５】
前記グリップ層は、合成ゴムシート製のものであるので、耐候性、耐薬品性、耐熱性に優れ、極薄のシート状でも安定した寸法と高い摩擦力を発揮し、クッション性能を発揮できるため表面層の柔らかさを妨げることがない。
【考案の効果】
【００１６】
本考案によれば、上述のような種々の効果が得られる。
【図面の簡単な説明】
【００１７】
【図１】本考案の実施形態に係るマウスパッドの平面図である。
【図２】前記マウスパッドの部分分解斜視図である。
【図３】前記マウスパッドの要部の拡大断面図である。
【考案を実施するための形態】
【００１８】
以下、本考案を実施するための形態について図面に基づいて説明する。
【００１９】
この多層構造のマウスパッド１は、ｅスポーツ等における使用に適したものである。
図１〜図３に示すように、多層構造のマウスパッド１は、上下幅よりも左右幅が幾分大きな矩形状に形成されたものである。尚、４つの角部には丸みを付ける場合もある。
【００２０】
この多層構造のマウスパッド１は、ポリプロピレン製シート材の表面に微小深さの凹凸パターン（例えば、梨地模様のパターン）を形成した表面層２（例えば、厚さ０．２ｍｍ）と、表面層２の下面に両面テープ３により接合された高密度ウレタンフォーム製のクッション層４であって３．０ｍｍ以上の厚さを有するクッション層４（例えば、厚さ３．０ｍｍ）と、クッション層４の下面に両面テープ５により接合された合成ゴムシート製のグリップ層６（例えば、厚さ０．２ｍｍ）を備えている。尚、両面テープ３，５の厚さは例えば、０．０５ｍｍである。
【００２１】
上記の多層構造のマウスパッド１は、次の効果を奏する。
多層構造によりスピード特性だけでなく、クッション性としなやかさを両立でき、長時間の使用でも汗や汚れによる性能低下が少なく、常に安定した性能を発揮することができ、使用者の集中力の低下を防ぐことができる。
【００２２】
前記表面層２は、ポリプロピレン製シート材の表面に微小深さの凹凸パターンを形成したものであるので、サラリとした手触り感があり、適度な抵抗感がでるため、マウスパッドの操作性を高めることができ、クッション層４の感触が妨げられることもない。しかも、ポリプロピレン製シート材であるため、軽く、滑り易く、撥水性と防汚性と耐久性に優れる。
【００２３】
前記クッション層４は、厚さ３．０ｍｍの高密度ウレタンフォームであって、微細で均一なセル構造をした半連続気泡フォームで構成されているため、圧縮残留歪みが小さく、他の素材に比べへたりが殆どなく、寸法安定性も高い。
使用する際には、高い復元力で長時間の使用でも殆どへたることがない。また、マウスに力を加えた際に沈み込み、マウスの滑りを抑制する。
高いクッション性能により長時間のゲームプレイでも手首の疲労が少ない。
【００２４】
前記グリップ層６は、耐候性、耐薬品性、耐熱性に優れたエチレンプロピレン合成ゴムシート製のものであるので、極薄のシート状でも安定した寸法と高い摩擦力を発揮する。極薄のシート状でもクッション性能を発揮でき、表面層２の柔らかさを妨げることがない。
【００２５】
しかも、あらゆる素材（木、合成樹脂、金属）のデスクで高いグリップ力を発揮し、激しいマウス操作でもマウスパッド１がずれることがない。天然ゴムのような異臭が少なく、アレルギーも引き起こさない。多少の汚れが付着してもグリップ力が変化しないうえ、汚れた場合でもウェットティッシュで簡単に拭き取ることができる。
【００２６】
前記実施例を部分的に変更する例について説明する。
１）マウスパッドの形状は矩形状に限定される訳ではなく、種々の形状に構成することができる。また、表面層２に形成する微小深さの凹凸パターンは、梨地模様に限るものではなく、種々の凹凸パターンを適用可能である。
２）その他、当業者ならば本考案の趣旨を逸脱しない範囲で前記実施例に種々の変更を付加した形態で実施可能であり、本考案はその種の変更形態をも包含するものである。
【符号の説明】
【００２７】
１    マウスパッド
２    表面層
３    両面テープ
４    クッション層
５    両面テープ
６    グリップ層
【図１】
0003226194.tif 000003
【図２】
0003226194.tif 000004
【図３】
0003226194.tif 000005